(57)【要約】【課題】マイクロキーボードシュミレーターを提供する。【解決手段】主に指令を入力する操作表面に二段階押圧感知を具えるマイクロキーボードシュミレーターで、第一押圧感知装置、第二押圧感知装置を含む。該第一押圧感知装置は指の接触感知及び座標分析の能力を具え、ホストコンピュータと接続し、モニタにより少なくとも１個以上の符号表を表示し、しかも該符号表の符号はマイクロキーボードシュミレーターの表面座標と相互対応関係を形成する。該第二押圧感知装置は指の確認押圧動作を感知する。上記組合せにより、各キーボードの体積を大幅に縮小可能で、しかも押した語の文字を予め知ることができ、入力の正確性を向上させ、使用者がボタンを確認する回数を減少させることができる。【選択図】図１
2007128487.tif 000002
【特許請求の範囲】
【請求項１】
主に二段階押圧感知を具え、第一押圧感知装置、第二押圧感知装置を含み、
該第一押圧感知装置は指の接触感知及び座標分析の能力を具え、少なくとも１個以上の符号表を対応させ、しかも該符号表の符号はマイクロキーボードシュミレーターの表面座標と相互対応関係を形成し、
該第二押圧感知装置は指の確認押圧動作を感知し、指令された入力を執行することを特徴とするマイクロキーボードシュミレーター。
【請求項２】
請求項１記載のマイクロキーボードシュミレーターにおいて、前記第一押圧感知装置は電気抵抗式圧力感知板であることを特徴とするマイクロキーボードシュミレーター。
【請求項３】
請求項１記載のマイクロキーボードシュミレーターにおいて、前記第一押圧感知装置はコンデンサ式圧力感知板であることを特徴とするマイクロキーボードシュミレーター。
【請求項４】
請求項１記載のマイクロキーボードシュミレーターにおいて、前記第二押圧感知装置は該第一押圧感知装置の下方に設置することを特徴とするマイクロキーボードシュミレーター。
【請求項５】
請求項１記載のマイクロキーボードシュミレーターにおいて、前記第二押圧感知装置は電気抵抗式圧力感知板であることを特徴とするマイクロキーボードシュミレーター。
【請求項６】
請求項１記載のマイクロキーボードシュミレーターにおいて、前記第二押圧感知装置はコンデンサ式圧力感知板であることを特徴とするマイクロキーボードシュミレーター。
【請求項７】
請求項１記載のマイクロキーボードシュミレーターにおいて、前記第二押圧感知装置はボタンスイッチであることを特徴とするマイクロキーボードシュミレーター。
【請求項８】
請求項１記載のマイクロキーボードシュミレーターにおいて、前記第一押圧感知装置の表面には触感を提供する凹凸点を設置し、使用者は迅速に位置を判別可能であることを特徴とするマイクロキーボードシュミレーター。
【請求項９】
請求項１記載のマイクロキーボードシュミレーターにおいて、前記第一、第二押圧感知装置は単一の押圧感知装置により構成し、該単一の押圧感知装置が受けた指の圧力値の大きさに基づき、第一段階感知信号と第二段階感知信号を区分することを特徴とするマイクロキーボードシュミレーター。
【請求項１０】
請求項１記載のマイクロキーボードシュミレーターにおいて、前記符号表はモニタに表示することを特徴とするマイクロキーボードシュミレーター。
【請求項１１】
請求項１記載のマイクロキーボードシュミレーターにおいて、前記モニタ上に表示する符号表は様々な入力のニーズに基づき、ソフトは様々な対応する符号表を提供することを特徴とするマイクロキーボードシュミレーター。
【請求項１２】
請求項１記載のマイクロキーボードシュミレーターにおいて、前記モニタ上に表示する符号表は１個以上の各自独立したマイクロキーボードシュミレーターによりそれぞれ制御されることを特徴とするマイクロキーボードシュミレーター。
【請求項１３】
請求項１記載のマイクロキーボードシュミレーターにおいて、前記第一押圧感知装置は指の接触時に起動し、指が該第一押圧感知装置を離れると該モニタ中の符号表は消失することを特徴とするマイクロキーボードシュミレーター。
【請求項１４】
請求項１記載のマイクロキーボードシュミレーターにおいて、前記マイクロキーボードシュミレーターは指が該第一押圧感知装置に接触、及び該第一押圧感知装置において移動する時、該モニタの符号表は指の位置に対応する座標の符号を色の変化或いは符号変形の信号などの様々な提示信号として出現させ、こうして使用者は実際にボタンを押す前に予め自身が選択した符号を確認可能であることを特徴とするマイクロキーボードシュミレーター。
【請求項１５】
請求項１記載のマイクロキーボードシュミレーターにおいて、前記座標分析能力はマイクロキーボードシュミレーターの異なる位置に対応しある異なる一次元座標とその対応を指すことを特徴とするマイクロキーボードシュミレーター。
【請求項１６】
請求項１記載のマイクロキーボードシュミレーターにおいて、前記座標分析能力はマイクロキーボードシュミレーターの異なる位置に対応しある異なる二次元座標とその対応を指すことを特徴とするマイクロキーボードシュミレーター。
【発明の詳細な説明】
【技術分野】
【０００１】
本発明は一種のマイクロキーボードシュミレーターに関する。特に一種の指令を入力する操作表面が二段圧力感知を具え、これによりキーボードの微小化と入力の正確性及び利便性を向上させるマイクロキーボードシュミレーターに係る。
【背景技術】
【０００２】
ITの発達に半導体の小型化とシステムの高度化が統合され、これまでは非常に大型かつ固定式であった電話、コンピュータなどの室内機器は、よりコンパクトに、より軽量化に向かって発展している。
【０００３】
しかし、本体の体積自体は小さくなってもモニタや入力装置、特に入力装置の制限を受け、ポータブル製品の小型化は進んでいないのが現状である。
すなわち入力装置は通常はボタン操作のキーボードだが、該ボタンは電話における１０個から多いものではコンピュータの１００数個に達するものまでがあり、しかも指の大きさに適応させる必要があるため、キーボードのボタンは小さくするにしても限界があり、キーボード全体の面積はある程度大きくならざるを得ない。
【０００４】
さらに、専門のタイピストではない入力者にとっての最大の困難は、頭を下げてキーボードを見ながら入力しようとする文字を探し或いは確認し、一方では頭を上げでモニタを見て入力した文字が間違っていないかどうかを確認しなければならない点にある。特に同時に日文、中文、英文を入力するなど２種以上の文字間で切り換えを行う時には、同一のキーボードを異なる状態に置き、英文、日文、或いは中文を入力するため、しばしばある程度の文字列を入力した後に、頭を上げてモニタを見ると間違っていたということが起こる。
この他にも、コンピュータのキーボードが小さく照明が十分でない場合には、キーボードが見にくくなり、文字入力の速度と利便性に悪影響を与えてしまうという問題もある。
【０００５】
さらに現在、入力方式はボタン上に印刷された文字に限られているため、ボタン上に様々な中文入力方式と英文字を持つ台湾のキーボードでは、日文、ハングルなどの英文或いは中文語系以外の文字を入力しようとする場合には、ボタン上に該文字の発音記号などがないため、入力が困難である。
【発明の開示】
【発明が解決しようとする課題】
【０００６】
本発明は主に指令を入力する操作表面に２段階押圧感知を具えるマイクロキーボードシュミレーターで、第一押圧感知装置、第二押圧感知装置を含み、該第一押圧感知装置は指の接触感知及び座標分析の能力を具え、少なくとも１個以上の符号表を対応し、しかも該符号表の符号はマイクロキーボードシュミレーターの表面座標と相互対応関係を形成し、該第二押圧感知装置は指の確認押圧動作を感知し、指令の入力を執行し、上記組合せにより、キーボードの体積を大幅に縮小可能で、入力の正確性と利便性を向上させる。
【０００７】
該第一押圧感知装置は電気抵抗式圧力感知板で、該第一押圧感知装置はコンデンサ式圧力感知板で、該第二押圧感知装置は該第一押圧感知装置の下方に設置し、該第二押圧感知装置は電気抵抗式圧力感知板で、該第二押圧感知装置はコンデンサ式圧力感知板で、該第一押圧感知装置は指の接触時に起動し、指が該第一押圧感知装置を離れると該モニタ中の符号表は消失し、該第二押圧感知装置はボタンスイッチで、該該第一押圧感知装置の下方に設置し、指が該第一押圧感知装置に接触、及び該第一押圧感知装置において移動する時、該モニタの符号表は指の位置に対応する座標の符号を色の変化或いは符号変形の信号などの様々な提示信号として出現させ、こうして使用者は実際にボタンを押す前に予め自身が選択した符号を確認可能で、該モニタ上に表示する符号表は様々な入力のニーズに基づき、ソフトは様々な対応する符号表を提供し、該モニタ上に表示する符号表は１個以上の各自独立したマイクロキーボードシュミレーターによりそれぞれ制御され、該第一押圧感知装置の表面には触感を提供する凹凸点を設置し、使用者は迅速に位置を判別可能で、該第一、第二押圧感知装置は単一の押圧感知装置により構成し、該単一の押圧感知装置が受けた指の圧力値の大きさに基づき、第一段階感知信号と第二段階感知信号を区分することを特徴とするマイクロキーボードシュミレーターである。
【課題を解決するための手段】
【０００８】
請求項１の発明は、主に二段階押圧感知を具え、第一押圧感知装置、第二押圧感知装置を含み、
該第一押圧感知装置は指の接触感知及び座標分析の能力を具え、少なくとも１個以上の符号表を対応させ、しかも該符号表の符号はマイクロキーボードシュミレーターの表面座標と相互対応関係を形成し、
該第二押圧感知装置は指の確認押圧動作を感知し、指令された入力を執行することを特徴とするマイクロキーボードシュミレーターとしている。
請求項２の発明は、請求項１記載のマイクロキーボードシュミレーターにおいて、前記第一押圧感知装置は電気抵抗式圧力感知板であることを特徴とするマイクロキーボードシュミレーターとしている。
請求項３の発明は、請求項１記載のマイクロキーボードシュミレーターにおいて、前記第一押圧感知装置はコンデンサ式圧力感知板であることを特徴とするマイクロキーボードシュミレーターとしている。
請求項４の発明は、請求項１記載のマイクロキーボードシュミレーターにおいて、前記第二押圧感知装置は該第一押圧感知装置の下方に設置することを特徴とするマイクロキーボードシュミレーターとしている。
請求項５の発明は、請求項１記載のマイクロキーボードシュミレーターにおいて、前記第二押圧感知装置は電気抵抗式圧力感知板であることを特徴とするマイクロキーボードシュミレーターとしている。
請求項６の発明は、請求項１記載のマイクロキーボードシュミレーターにおいて、前記第二押圧感知装置はコンデンサ式圧力感知板であることを特徴とするマイクロキーボードシュミレーターとしている。
請求項７の発明は、請求項１記載のマイクロキーボードシュミレーターにおいて、前記第二押圧感知装置はボタンスイッチであることを特徴とするマイクロキーボードシュミレーターとしている。
請求項８の発明は、請求項１記載のマイクロキーボードシュミレーターにおいて、前記第一押圧感知装置の表面には触感を提供する凹凸点を設置し、使用者は迅速に位置を判別可能であることを特徴とするマイクロキーボードシュミレーターとしている。
請求項９の発明は、請求項１記載のマイクロキーボードシュミレーターにおいて、前記第一、第二押圧感知装置は単一の押圧感知装置により構成し、該単一の押圧感知装置が受けた指の圧力値の大きさに基づき、第一段階感知信号と第二段階感知信号を区分することを特徴とするマイクロキーボードシュミレーターとしている。
請求項１０の発明は、請求項１記載のマイクロキーボードシュミレーターにおいて、前記符号表はモニタに表示することを特徴とするマイクロキーボードシュミレーターとしている。
請求項１１の発明は、請求項１記載のマイクロキーボードシュミレーターにおいて、前記モニタ上に表示する符号表は様々な入力のニーズに基づき、ソフトは様々な対応する符号表を提供することを特徴とするマイクロキーボードシュミレーターとしている。
請求項１２の発明は、請求項１記載のマイクロキーボードシュミレーターにおいて、前記モニタ上に表示する符号表は１個以上の各自独立したマイクロキーボードシュミレーターによりそれぞれ制御されることを特徴とするマイクロキーボードシュミレーターとしている。
請求項１３の発明は、請求項１記載のマイクロキーボードシュミレーターにおいて、前記第一押圧感知装置は指の接触時に起動し、指が該第一押圧感知装置を離れると該モニタ中の符号表は消失することを特徴とするマイクロキーボードシュミレーターとしている。
請求項１４の発明は、請求項１記載のマイクロキーボードシュミレーターにおいて、前記マイクロキーボードシュミレーターは指が該第一押圧感知装置に接触、及び該第一押圧感知装置において移動する時、該モニタの符号表は指の位置に対応する座標の符号を色の変化或いは符号変形の信号などの様々な提示信号として出現させ、こうして使用者は実際にボタンを押す前に予め自身が選択した符号を確認可能であることを特徴とするマイクロキーボードシュミレーターとしている。
請求項１５の発明は、請求項１記載のマイクロキーボードシュミレーターにおいて、前記座標分析能力はマイクロキーボードシュミレーターの異なる位置に対応しある異なる一次元座標とその対応を指すことを特徴とするマイクロキーボードシュミレーターとしている。
請求項１６の発明は、請求項１記載のマイクロキーボードシュミレーターにおいて、前記座標分析能力はマイクロキーボードシュミレーターの異なる位置に対応しある異なる二次元座標とその対応を指すことを特徴とするマイクロキーボードシュミレーターとしている。
【発明の効果】
【０００９】
本発明は単一キーボードにより様々な符号入力を提供し、入力の利便性と正確性を拡大することができる。
【発明を実施するための最良の形態】
【００１０】
図１、２、３に示すように、本発明マイクロキーボードシュミレーターは第一押圧感知装置１０、第二押圧感知装置２０を含む。
該第一押圧感知装置１０は指の接触感知及び座標分析の能力を具え、ホストコンピュータ３０と接続し、モニタ３０２により少なくとも１個以上の符号表４を表示する。しかも該符号表４の符号４１は該マイクロキーボードシュミレーターの表面座標と相互対応関係を形成し、該第一押圧感知装置１０は電気抵抗式圧力感知板、或いはコンデンサ式圧力感知板である。
該第二押圧感知装置２０は該第一押圧感知装置１０の下方に設置し、指の確認押圧動作を感知し、指令された入力を執行する。該第二押圧感知装置２０は電気抵抗式圧力感知板、或いはコンデンサ式圧力感知板である。
【００１１】
本発明中のホストコンピュータ３０はそのモニタ３０２中に該第一押圧感知装置１０座標に対応する符号表４を含み、該ホストコンピュータ３０は該第一押圧感知装置１０に基づき、指の接触を感知し起動し、該モニタ３０２上に該指の接触座標に対応する符号表４の符号４１(或いは制御指令)を表示する。さらにはスピーカー３０１により該指が接触した座標に対応する符号表４の符号４１(或いは制御指令)の音声を出力し、視覚障害者に操作の便を提供する。
指が該第一押圧感知装置１０を離れると、該モニタ３０２上の符号４１は消失する。
さらに本発明のマイクロキーボードシュミレーターは、指が該第一押圧感知装置１０に接触、及び該第一押圧感知装置１０において移動する時、該モニタ３０２の符号表４は指の位置に対応する座標の符号を色の変化或いは符号変形の信号などの様々な提示信号として出現させ (図３中の符号“Ｓ”字は様々な提示変化を生じる) る。こうして、使用者は実際にボタンを押す前に予め自身が選択した符号を確認することができる。
【００１２】
次に図４に示すように、本発明は以下のステップに基づき作動する。
ステップ１  接触信号を受信し座標を取得：該第一押圧感知装置１０は指の接触を感知し信号を発し、該指の接触一の座標を取得する。
ステップ２  信号をホストコンピュータ３０に送信：該第一押圧感知装置１０は指の接触信号、接触位置の座標を受信し、該ホストコンピュータ３０に送信する。
ステップ３  符号表４の符号を取得：該ホストコンピュータ３０設定の符号表４に基づき符号表４中の対応座標の符号４１を取得する。
ステップ４  符号表４の文字を標示：モニタ３０２中の符号表４の指の接触位置の符号４１は異なる色によって標示される。
ステップ５  接触信号が消失：該第一押圧感知装置１０は指の接触信号の消失を受信するとステップ８を執行し、そうでなければステップ６を執行する。
ステップ６  信号取得を確認：該第二押圧感知装置２０は指の押圧力があるかどうかを探知し、もしあるならステップ７を執行し、ないならステップ１を執行する。
ステップ７  入力成立：該符号表４中の文字はOSの入力位置において標示され、該符号の入力を完成し、ステップ１にもどる。
ステップ８  モニタ中の符号が消失：設定後一定の時間が経過すると、該モニタ３０２上の符号４１は消失し、ステップ１にもどる。
【００１３】
図５、６に示すように指がマイクロキーボードシュミレーターの異なる位置を押すと、異なる符号表５、６の符号が入力され、該モニタ３０２上に標示される符号表５、６もまた異なる入力要求に基づき、ソフトウエアは対応する符号表を提供する。
次に図７に示すように、入力するキーボードが単一ブロックの制限を受けないよう、符号表７は局部区画を行い。１個以上の各自独立したマイクロキーボードシュミレーターによりそれぞれ入力される。
続いて図１０に示すように、使用者が現在の指の所在位置をより迅速に判別可能とするため、該第一押圧感知装置１０の表面には凹凸点１０１を設置する。これにより使用者は触覚の助けを受け位置を判別し、頭を下げて確認する必要がなくなる。
【００１４】
さらに図１２、１３に示すように、本発明の別種の実施例一では体積をさらに減らすために、第一、第二押圧感知装置を単一の圧力感知装置１３により構成する。該単一の圧力感知装置１３は圧力の大きさを解析する能力を具え、指の圧力値の大小を受けて、無反応、第一段階押圧感知区、第二段階押圧感知区に区分、設定する。該接触圧力値がＦ１より小さい時には無反応とする。該接触圧力値がＦ１より大きくＦ２より小さい時には第一段階押圧感知の信号とし、指接触の座標を探知感知する。該接触圧力値がＦ２より大きい時には第二段階押圧感知の信号とし、指確認押圧の動作とし、指令を執行する。
次に図８、９に示すように、本発明の第一押圧感知装置１０、１０”は座標分析能力を具え、該マイクロキーボードシュミレーター平面の異なる位置に対応し、一次元、或いは二次元の座標値とその対応を示す。
さらに図１１に示すように、本発明の別種の実施例二では、第二押圧感知装置２２２はボタンスイッチで、第一押圧感知装置１２の下方に設置する。
【図面の簡単な説明】
【００１５】
【図１】本発明の立体表示図である。
【図２】本発明のブロックチャートである。
【図３】本発明の操作表示図一である。
【図４】本発明の作動フローチャートである。
【図５】本発明の符号表一である。
【図６】本発明の符号表二である。
【図７】本発明の操作表示図二である。
【図８】本発明の第一押圧感知装置の一次元座標表示図である。
【図９】本発明の第一押圧感知装置の二次元座標表示図である。
【図１０】本発明の第一押圧感知装置表面の凹凸点表示図である。
【図１１】本発明別種の実施例一の表示図である。
【図１２】本発明別種の実施例二の表示図である。
【図１３】本発明別種の実施例二の圧力曲線表示図である。
【符号の説明】
【００１６】
１０  第一押圧感知装置
１０”   第一押圧感知装置
１０１  凹凸点
１３  圧力感知装置
２０  第二押圧感知装置
２２  第二押圧感知装置
３０  ホストコンピュータ
３０２  モニタ
４、５、６、７符号表
４１  符号
【図１】
2007128487.tif 000003
【図２】
2007128487.tif 000004
【図３】
2007128487.tif 000005
【図４】
2007128487.tif 000006
【図５】
2007128487.tif 000007
【図６】
2007128487.tif 000008
【図７】
2007128487.tif 000009
【図８】
2007128487.tif 000010
【図９】
2007128487.tif 000011
【図１０】
2007128487.tif 000012
【図１１】
2007128487.tif 000013
【図１２】
2007128487.tif 000014
【図１３】
2007128487.tif 000015